(57)【要約】【課題】画像形成する記録媒体に無線タグが装着されてないかを判断し、画像形成時の画像処理を変更すること。【解決手段】記録媒体を搬送し、当該記録媒体に画像形成を行なう画像出力装置において、搬送部と転写部との搬送経路に配置され、搬送される記録媒体に対して電波をあて、当該記録媒体の無線タグとの交信を行なうアンテナ２７と、アンテナ２７へ送信する電波を生成する無線変調手段（リーダライター２１４の変調回路１３１）と、アンテナ２７からの電波を復調する無線復調手段（リーダライター２１４の復調回路１３４）と、を備える。【選択図】        図６
2006123505.tif 000002
【特許請求の範囲】
【請求項１】
記録媒体を搬送し、当該記録媒体に画像形成を行なう画像形成装置において、
搬送部と転写部との搬送経路に配置され、搬送される前記記録媒体に対して電波をあて、当該記録媒体の無線タグとの交信を行なう電波送受信手段と、
前記電波送受信手段へ送信する電波を生成する無線変調手段と、
前記電波送受信手段からの電波を復調する無線復調手段と、
を備えたことを特徴とする画像形成装置。
【請求項２】
記録媒体を搬送し、当該記録媒体に画像形成を行なう画像形成装置において、
搬送部と転写部との搬送経路に配置され、搬送される前記記録媒体に対して電波をあて、当該記録媒体の無線タグとの交信を行なう電波送受信手段と、
前記電波送受信手段へ送信する電波を生成する無線変調手段と、
前記電波送受信手段からの電波を復調する無線復調手段と、
前記電波送受信手段をかいして読み取られた無線タグの識別番号を認識する識別番号認識手段と、
前記識別番号認識手段で認識された識別番号が偽造防止対象であるかを判定する偽造防止判定手段と、
前記偽造防止判定手段の判定結果にしたがって偽造防止処理を行なう偽造防止手段と、
を備えたことを特徴とする画像形成装置。
【請求項３】
記録媒体を搬送し、当該記録媒体に画像形成を行なう画像形成装置において、
装置の起動タイミングでダミーの無線信号を送信するダミー無線送信手段と、
搬送部と転写部との搬送経路に配置され、搬送される前記記録媒体に対して電波をあて、当該記録媒体の無線タグとの交信を行なう電波送受信手段と、
前記電波送受信手段へ送信する電波を生成する無線変調手段と、
前記電波送受信手段からの電波を復調する無線復調手段と、
前記電波送受信手段をかいして読み取られた無線タグの識別番号を認識する識別番号認識手段と、
前記識別番号認識手段で認識された識別番号が偽造防止対象であるかを判定する偽造防止判定手段と、
前記偽造防止判定手段の判定結果にしたがって偽造防止処理を行なう偽造防止手段と、
を備えたことを特徴とする画像形成装置。
【請求項４】
前記偽造防止手段は、追跡パターンデータとページ画像データとを合成する画像合成手段を備えたことを特徴とする請求項２または３に記載の画像形成装置。
【請求項５】
前記偽造防止判定手段は、読み込まれた画像のヘッダーに偽造防止判定結果を記録するヘッダー編集手段を備えたことを特徴とする請求項２または３に記載の画像形成装置。
【請求項６】
前記識別番号認識手段は、読み込まれた無線タグの情報を記録する無線タグ情報記録手段を備えたことを特徴とする請求項２または３に記載の画像形成装置。
【請求項７】
記録媒体を搬送し、当該記録媒体に画像形成を行なう画像形成方法において、
搬送される前記記録媒体に対して電波をあて、当該記録媒体の無線タグとの交信を行なう電波送受信工程と、
送信する電波を生成する無線変調工程と、
前記電波送受信工程での電波を復調する無線復調工程と、
を含むことを特徴とする画像形成方法。
【請求項８】
記録媒体を搬送し、当該記録媒体に画像形成を行なう画像形成方法において、
搬送される前記記録媒体に対して電波をあて、当該記録媒体の無線タグとの交信を行なう電波送受信工程と、
送信する電波を生成する無線変調工程と、
前記電波送受信工程での電波を復調する無線復調工程と、
前記電波送受信工程で読み取られた無線タグの識別番号を認識する識別番号認識工程と、
前記識別番号認識工程で認識された識別番号が偽造防止対象であるかを判定する偽造防止判定工程と、
前記偽造防止判定工程の判定結果にしたがって偽造防止処理を行なう偽造防止工程と、
を含むことを特徴とする画像形成方法。
【請求項９】
記録媒体を搬送し、当該記録媒体に画像形成を行なう画像形成方法において、
装置の起動タイミングでダミーの無線信号を送信するダミー無線送信工程と、
搬送される前記記録媒体に対して電波をあて、当該記録媒体の無線タグとの交信を行なう電波送受信工程と、
送信する電波を生成する無線変調工程と、
前記電波送受信工程での電波を復調する無線復調工程と、
前記電波送受信工程で読み取られた無線タグの識別番号を認識する識別番号認識手段と、
前記識別番号認識工程で認識された識別番号が偽造防止対象であるかを判定する偽造防止判定工程と、
前記偽造防止判定工程の判定結果にしたがって偽造防止処理を行なう偽造防止工程と、
を含むことを特徴とする画像形成方法。
【請求項１０】
前記偽造防止工程は、追跡パターンデータとページ画像データとを合成する画像合成工程を含むことを特徴とする請求項８または９に記載の画像形成方法。
【請求項１１】
前記偽造防止判定工程は、読み込まれた画像のヘッダーに偽造防止判定結果を記録するヘッダー編集工程を含むことを特徴とする請求項８または９に記載の画像形成方法。
【請求項１２】
前記識別番号認識工程は、読み込まれた無線タグの情報を記録する無線タグ情報記録工程を含むことを特徴とする請求項８または９に記載の画像形成方法。
【請求項１３】
共通のネットワーク上に、画像読取手段により読取対象の原稿を光学走査して画像データを取得し、当該画像データを記録媒体に画像形成する画像形成手段と、出版物のページ記述言語を記憶し、かつ当該出版物の課金情報にしたがって課金する課金システムと、を具備した画像形成システムであって、
前記原稿を光学走査する走行体に搭載され、前記原稿に電波をあて、当該原稿の無線タグとの交信を行なう電波送受信手段と、
前記電波送受信手段へ送信する電波を生成する無線変調手段と、
前記電波送受信手段からの電波を復調する無線復調手段と、
前記電波送受信手段により読み取られた無線タグの内容を記憶する無線タグ内容記憶手段と、
前記無線タグ内容記憶手段に記憶された内容にしたがって画像形成対象物の著作権料の課金処理を前記課金システムにアクセスして行なう課金処理手段と、
を備えたことを特徴とする画像形成システム。
【請求項１４】
共通のネットワーク上に、画像読取手段により読取対象の原稿を光学走査して画像データを取得し、当該画像データを記録媒体に画像形成する画像形成手段と、出版物のページ記述言語を記憶し、かつ当該出版物の課金情報にしたがって課金する課金システムと、を具備した画像形成システムであって、
前記原稿を光学走査する走行体に搭載され、前記原稿に電波をあて、当該原稿の無線タグとの交信を行なう電波送受信手段と、
前記電波送受信手段へ送信する電波を生成する無線変調手段と、
前記電波送受信手段からの電波を復調する無線復調手段と、
前記電波送受信手段により読み取られた無線タグの内容を記憶する無線タグ内容記憶手段と、
前記無線タグ内容記憶手段に記憶された内容にしたがって前記ネットワークをかいして著作権を有する出版社へアクセスし、ページ記述言語による画像データを要求する送信手段と、
前記無線タグ内容記憶手段に記憶された内容にしたがって前記ネットワークをかいして著作権を有する出版社へアクセスし、ページ記述言語による画像データを受信する受信手段と、
前記受信手段により受け取った画像データを解析し、ページ画像データを生成するプリント画像生成手段と、
前記無線タグ内容記憶手段に記憶された内容にしたがって対象物の著作権料の課金処理を前記課金システムにアクセスして行なう課金処理手段と、
を備えたことを特徴とする画像形成システム。
【請求項１５】
電波を送受信する電波送受信手段と、
前記電波送受信手段へ送信する電波を生成する無線変調手段と、
前記電波送受信手段からの電波を復調する無線復調手段と、
前記無線受信手段により読み取られた無線タグの内容を記憶する無線タグ内容記憶手段と、
前記無線タグ内容記憶手段に記憶されたページ記述言語を解析し、ページ画像データを生成するプリント画像生成手段と、
前記無線タグ内容記憶手段に記憶された内容にしたがって対象物の著作権料の課金処理を行なう課金処理手段と、
を備えたことを特徴とする画像形成システム。
【発明の詳細な説明】
【技術分野】
【０００１】
本発明は、無線ＩＣタグなどの近接無線を用い、偽造行為や著作権物の課金処理が可能なデジタル複写機やプリンタといった画像形成装置などの画像形成装置、画像形成方法および画像形成システムに関するものである。
【背景技術】
【０００２】
近年、デジタル複写機などの画像形成装置の画質の向上に伴い、紙幣や有価証券など複製が禁止されている特定原稿に対して、偽造を行うための複写行為の危険性が増加している。そこで、従来、入力されたカラー画像信号の特性を補正し、得られた補正画像信号中の特徴を抽出し、この抽出された特徴と予め用意された特定原稿の特徴との類似度を判定し、この類似度に応じて入力されるカラー画像信号の処理内容を変更する画像処理装置が提案されている（たとえば、特許文献１参照）。
【０００３】
また、画像認識装置はあらかじめ特殊原稿の画像パターンを登録しておき、入力された画像のパターンと登録してある画像パターンとを比較して類似度を判定し、判定した類似度により入力した画像が特殊原稿の画像であるか否かを判別して、特殊原稿が偽造されることを防いでいる（たとえば、特許文献２、３参照）。
【０００４】
一方、個別情報を電子的に保持して電磁誘導により非接触で情報伝達するＩＤ素子（ＲＦＩＤ；Ｒａｄｉｏ  Ｆｒｅｑｕｅｎｃｙ  Ｉｄｅｎｔｉｆｉｃａｔｉｏｎ）技術が開発され、物の識別管理のために応用され始めている。このＩＤ素子を用いた個体認識方式は、流通分野におけるバーコードに替わる技術として注目されているものである（たとえば、非特許文献１参照）。
【０００５】
特に、金券や、コンサートのチケットなどは、無線タグ内に特殊な暗号データを格納することにより、偽造を防止を可能としている。また、金券や、コンサートのチケットなどに付加する無縁タグはアンテナまでＬＳＩ内部に形成しているために、リーダライターとの通信距離が１ｍｍから数ｃｍと短いことが知られている。
【０００６】
また、紙幣あるいは有価証券等の複写を防止する他の方式としては、紙幣あるいは有価証券等の複写時にこの複写がおこなわれた画像形成装置の機種や機番を特定する情報を示す追跡パターンをこの紙幣あるいは有価証券等の画像に付加して出力するものがある。これにより、紙幣あるいは有価証券等の複写による紙幣あるいは有価証券等の偽造が防止される。
【０００７】
さらには、近年、インターネット、ＰＣ（Ｐｅｒｓｏｎａｌ  Ｃｏｍｐｕｔｅｒ）を始めとするＩＴの普及により、その知的生産活動において自ら多種多様の電子情報を作成し、複写機、プリンタ等の画像形成装置により用紙やＯＨＰシートなどといった記録媒体に出力している。出力された紙または書類は、情報共有の手段として会議等で配布され、知的生産活動に活用されている。配布された紙または書類は受け取った人が持ち帰り、そのままの状態で保管されるか、スキャナーといった画像読取装置により画像情報としてＪＰＥＧ（Ｊｏｉｎｔ  Ｐｈｏｔｏｇｒａｐｈｉｃ  Ｅｘｐｅｒｔｓ  Ｇｒｏｕｐ）などのイメージファイルに変換され保管される。これらを更なる知的生産活動のための情報源として活用するために、配布された紙または書類をさらに複写したり、変換したＪＰＥＧなどのイメージファイルから直接出力したり、このイメージファイルをパソコンなどで加工してから出力している。このように受け取った紙または書類そのものはアナログ情報であるが、情報を再利用／再加工するためにはデジタル情報として取り扱うことが望ましく、アナログ情報からデジタル情報への変換を光学的な画像読取装置を使って行なう。
【０００８】
【特許文献１】特開平６−１０５１３６号公報
【特許文献２】特開平２−２１０５９１号公報
【特許文献３】特開平６−５４１８６号公報
【非特許文献１】椎尾一郎，早坂達著，「モノに情報を貼り付ける−ＲＦＩＤタグとその応用−」，情報処理学会誌，１９９９年８月，第４０巻８号，ｐ．８４６−８５０
【発明の開示】
【発明が解決しようとする課題】
【０００９】
しかしながら、上記に示されるような従来の技術にあっては、近年のプリンタの高画質化は証券、金券の偽造を可能としている。この偽造を防止するために証券、金券などに無線タグを埋め込む技術が知られているが、基本的に無線タグは、内容がリード／ライト可能であるために無線タグ自身の偽造も困難ではあるが可能である。
【００１０】
また、前述の偽造防止の技術を使用した画像形成装置では、偽造が難しいが、個人用の簡易なスキャナといった画像読取装置で読み込み、画像形成装置で画像形成し偽造する方法も考えられ、このような偽造を防止する必要もある。たとえば白紙の紙の中にすきこんで作成し、証券、金券のカラー印刷を行い作成されると考えられる。
【００１１】
また、配布された紙または書類を複写する際に、原稿上にはアナログ情報しか存在しておらず、画像読取装置によりデジタル情報に置き換える際に、必然的に画像品質が劣化するという欠点があった。すなわち、原稿にはテキスト、グラフや表、イメージが混在しているが、画像読取装置では全てイメージ情報としてデジタル情報を取得している。しかしながら、画像読取装置による光学変換の際には、レンズやＣＣＤ（Ｃｈａｒｇｅ  Ｃｏｕｐｌｅｄ  Ｄｅｖｉｃｅｓ）のＭＴＦ（Ｍｏｄｕｌａｔｉｏｎ  Ｔｒａｎｓｆｅｒ  Ｆｕｎｃｔｉｏｎ）特性といった物理的な要因のために情報品質の劣化が生じる。また、情報量としてもイメージ情報では大きく、画像圧縮といった画像処理による圧縮が一般的に使われる。しかし、画像圧縮の圧縮率によっては情報品質の劣化を招くという課題がある。また、ＯＣＲ（Ｏｐｔｉｃａｌ  Ｃｈｒａｃｔｅｒ  Ｒｅａｄｅｒ）等の画像処理により原稿に含まれるテキストなどはテキストデータとして抽出することが可能であるが、変換精度に起因する原稿からの情報品質の劣化が生じるという問題点があった。
【００１２】
また、紙または書類として配布された情報を活用するためには、その紙または書類を参照してＰＣ（Ｐｅｒｓｏｎａｌ  Ｃｏｍｐｕｔｅｒ）で新たに電子情報を作成する、画像読取装置を用いてＪＰＥＧなどのイメージファイルとして取り込む、情報作成者に問い合わせて原稿そのものの電子情報を取得するなどの方法が考えられるが何れも手間が必要となる。すなわち、原稿は作成者がＰＣ（Ｐｅｒｓｏｎａｌ  Ｃｏｍｐｕｔｅｒ）を使って電子的に作成し、何らかの印刷装置によって出力されたものであり、原稿自体の電子情報は存在している。この電子情報を原稿と共に渡すことは可能であるが、ＦＤ、ＣＤ−ＲＯＭ、ＣＤ−Ｒなどの別の記憶媒体で渡すか、別途インターネットを介して電子メールで送る必要があるため、電子情報を渡すのには手間がかかるという問題点があった。
【００１３】
また、近年、複写機などの画像形成装置の画質の向上に伴い公共の図書館や、企業の図書館において、本などを複写機でコピーする場合、本をコピーすることによる出版社（者）の著作権を侵害するという問題点があった。
【００１４】
本発明は、上記に鑑みてなされたものであって、画像形成する記録媒体に無線タグが装着されてないかを判断し、画像形成時の画像処理を変更することを第１の目的とする。
【００１５】
また、画像形成する記録媒体の無線タグ内容を確認し、偽造行為となる画像形成を阻止することを第２の目的とする。
【００１６】
また、複写対象の原稿読み取り時に、画像の読み込みと同時にアンテナで無線タグとの交信を行い、無線タグの種類を認識し、複写した対象物と複写枚数などを記録し、集計し、著作権者へ通知することにより、課金を可能とする課金システムを構築することを可能とすることを第３の目的とする。
【００１７】
また、アンテナで無線タグとの交信を行い、無線タグの種類を認識し、プリントしたい対象物と複写枚数などを著作権を有する企業へ通知し、ページ記述言語を受け取り、画質劣化させることなく効率的に印刷可能にしかつ、課金を可能とする課金システムを構築することを可能とすることを第４の目的とする。
【課題を解決するための手段】
【００１８】
上述した課題を解決し、目的を達成するために、請求項１にかかる発明は、記録媒体を搬送し、当該記録媒体に画像形成を行なう画像形成装置において、搬送部と転写部との搬送経路に配置され、搬送される前記記録媒体に対して電波をあて、当該記録媒体の無線タグとの交信を行なう電波送受信手段と、前記電波送受信手段へ送信する電波を生成する無線変調手段と、前記電波送受信手段からの電波を復調する無線復調手段と、を備えたことを特徴とする。
【００１９】
この請求項１にかかる発明によれば、搬送部と転写部との搬送経路に電波送受信手段を配置し、無線変調手段で生成された電波によって、印刷と同時に搬送された記録媒体の無線タグからの電波を電波送受信手段をかいして受け取り、無線復調手段で復調することにより、当該記録媒体の無線タグの有無および内容に対応した処理を行なうことが可能になる。
【００２０】
また、請求項２にかかる発明は、記録媒体を搬送し、当該記録媒体に画像形成を行なう画像形成装置において、搬送部と転写部との搬送経路に配置され、搬送される前記記録媒体に対して電波をあて、当該記録媒体の無線タグとの交信を行なう電波送受信手段と、前記電波送受信手段へ送信する電波を生成する無線変調手段と、前記電波送受信手段からの電波を復調する無線復調手段と、前記電波送受信手段をかいして読み取られた無線タグの識別番号を認識する識別番号認識手段と、前記識別番号認識手段で認識された識別番号が偽造防止対象であるかを判定する偽造防止判定手段と、前記偽造防止判定手段の判定結果にしたがって偽造防止処理を行なう偽造防止手段と、を備えたことを特徴とする。
【００２１】
この請求項２にかかる発明によれば、搬送部と転写部との搬送経路に電波送受信手段を配置し、無線変調手段で生成された電波によって、印刷と同時に搬送された記録媒体の無線タグからの電波を電波送受信手段をかいして受け取り、無線復調手段で復調する動作により記録媒体の無線タグと交信し、識別番号認識手段で無線タグの識別番号を認識し、偽造防止判定手段で当該認識された識別番号が偽造防止対象であるかを判定し、その判定結果にしたがった処理を実行することにより、偽造となる画像形成を阻止することが可能になる。
【００２２】
また、請求項３にかかる発明は、記録媒体を搬送し、当該記録媒体に画像形成を行なう画像形成装置において、装置の起動タイミングでダミーの無線信号を送信するダミー無線送信手段と、搬送部と転写部との搬送経路に配置され、搬送される前記記録媒体に対して電波をあて、当該記録媒体の無線タグとの交信を行なう電波送受信手段と、前記電波送受信手段へ送信する電波を生成する無線変調手段と、前記電波送受信手段からの電波を復調する無線復調手段と、前記電波送受信手段をかいして読み取られた無線タグの識別番号を認識する識別番号認識手段と、前記識別番号認識手段で認識された識別番号が偽造防止対象であるかを判定する偽造防止判定手段と、前記偽造防止判定手段の判定結果にしたがって偽造防止処理を行なう偽造防止手段と、を備えたことを特徴とする。
【００２３】
この請求項３にかかる発明によれば、請求項２に加え、搬送部にダミー無線送信手段を配置し、最初の印刷時にダミーの電波を送信し、搬送された記録媒体の無線タグを探知するシステムが正常に動作するかを判定することにより、機器の偽造防止機能が正常に動作させることが可能になる。
【００２４】
また、請求項４にかかる発明は、前記偽造防止手段は、追跡パターンデータとページ画像データとを合成する画像合成手段を備えたことを特徴とする。
【００２５】
この請求項４にかかる発明によれば、請求項２または３において、追跡パターンデータとページ画像データとを合成することにより、偽造行為の防止および追跡が可能になる。
【００２６】
また、請求項５にかかる発明は、前記偽造防止判定手段は、読み込まれた画像のヘッダーに偽造防止判定結果を記録するヘッダー編集手段を備えたことを特徴とする。
【００２７】
この請求項５にかかる発明によれば、請求項２または３において、読み込まれた画像のヘッダーに偽造防止判定結果を記録することにより、偽造行為の履歴を確認することが可能になる。
【００２８】
また、請求項６にかかる発明は、前記識別番号認識手段は、読み込まれた無線タグの情報を記録する無線タグ情報記録手段を備えたことを特徴とする。
【００２９】
この請求項６にかかる発明によれば、請求項２または３において、読み込まれた無線タグの情報を記録することにより、読み込んだ無線タグの内容を後で確認することが可能になる。
【００３０】
また、請求項７にかかる発明は、記録媒体を搬送し、当該記録媒体に画像形成を行なう画像形成方法において、搬送される前記記録媒体に対して電波をあて、当該記録媒体の無線タグとの交信を行なう電波送受信工程と、送信する電波を生成する無線変調工程と、前記電波送受信工程での電波を復調する無線復調工程と、を含むことを特徴とする。
【００３１】
この請求項７にかかる発明によれば、無線変調工程で生成された電波によって、印刷と同時に搬送された記録媒体の無線タグからの電波を電波送受信工程で受け取り、無線復調工程で復調することにより、当該記録媒体の無線タグの有無および内容に対応した処理を行なうことが可能になる。
【００３２】
また、請求項８にかかる発明は、記録媒体を搬送し、当該記録媒体に画像形成を行なう画像形成方法において、搬送される前記記録媒体に対して電波をあて、当該記録媒体の無線タグとの交信を行なう電波送受信工程と、送信する電波を生成する無線変調工程と、前記電波送受信工程での電波を復調する無線復調工程と、前記電波送受信工程で読み取られた無線タグの識別番号を認識する識別番号認識工程と、前記識別番号認識工程で認識された識別番号が偽造防止対象であるかを判定する偽造防止判定工程と、前記偽造防止判定工程の判定結果にしたがって偽造防止処理を行なう偽造防止工程と、を含むことを特徴とする。
【００３３】
この請求項８にかかる発明によれば、無線変調工程で生成された電波によって、印刷と同時に搬送された記録媒体の無線タグからの電波を電波送受信手段をかいして受け取り、無線復調工程で復調する動作により記録媒体の無線タグと交信し、識別番号認識工程で無線タグの識別番号を認識し、偽造防止判定工程で当該認識された識別番号が偽造防止対象であるかを判定し、その判定結果にしたがった処理を実行することにより、偽造となる画像形成を阻止することが可能になる。
【００３４】
また、請求項９にかかる発明は、記録媒体を搬送し、当該記録媒体に画像形成を行なう画像形成方法において、装置の起動タイミングでダミーの無線信号を送信するダミー無線送信工程と、搬送される前記記録媒体に対して電波をあて、当該記録媒体の無線タグとの交信を行なう電波送受信工程と、送信する電波を生成する無線変調工程と、前記電波送受信工程での電波を復調する無線復調工程と、前記電波送受信工程で読み取られた無線タグの識別番号を認識する識別番号認識手段と、前記識別番号認識工程で認識された識別番号が偽造防止対象であるかを判定する偽造防止判定工程と、前記偽造防止判定工程の判定結果にしたがって偽造防止処理を行なう偽造防止工程と、を含むことを特徴とする。
【００３５】
この請求項９にかかる発明によれば、請求項８に加え、最初の印刷時にダミーの電波を送信し、搬送された記録媒体の無線タグを探知するシステムが正常に動作するかを判定することにより、機器の偽造防止機能が正常に動作させることが可能になる。
【００３６】
また、請求項１０にかかる発明は、前記偽造防止工程は、追跡パターンデータとページ画像データとを合成する画像合成工程を含むことを特徴とする。
【００３７】
この請求項１０にかかる発明によれば、請求項８または９において、追跡パターンデータとページ画像データとを合成することにより、偽造行為の防止および追跡が可能になる。
【００３８】
また、請求項１１にかかる発明は、前記偽造防止判定工程は、読み込まれた画像のヘッダーに偽造防止判定結果を記録するヘッダー編集工程を含むことを特徴とする。
【００３９】
この請求項１１にかかる発明によれば、請求項８または９において、読み込まれた画像のヘッダーに偽造防止判定結果を記録することにより、偽造行為の履歴を確認することが可能になる。
【００４０】
また、請求項１２にかかる発明は、前記識別番号認識工程は、読み込まれた無線タグの情報を記録する無線タグ情報記録工程を含むことを特徴とする。
【００４１】
この請求項１２にかかる発明によれば、請求項８または９において、読み込まれた無線タグの情報を記録することにより、読み込んだ無線タグの内容を後で確認することが可能になる。
【００４２】
また、請求項１３にかかる発明は、共通のネットワーク上に、画像読取手段により読取対象の原稿を光学走査して画像データを取得し、当該画像データを記録媒体に画像形成する画像形成手段と、出版物のページ記述言語を記憶し、かつ当該出版物の課金情報にしたがって課金する課金システムと、を具備した画像形成システムであって、前記原稿を光学走査する走行体に搭載され、前記原稿に電波をあて、当該原稿の無線タグとの交信を行なう電波送受信手段と、前記電波送受信手段へ送信する電波を生成する無線変調手段と、前記電波送受信手段からの電波を復調する無線復調手段と、前記電波送受信手段により読み取られた無線タグの内容を記憶する無線タグ内容記憶手段と、前記無線タグ内容記憶手段に記憶された内容にしたがって画像形成対象物の著作権料の課金処理を前記課金システムにアクセスして行なう課金処理手段と、を備えたことを特徴とする。
【００４３】
この請求項１３にかかる発明によれば、原稿を読み取る走行体に当該原稿の無線タグとの交信を行なう電波送受信手段を搭載し、画像の読み込みと同時に電波送受信手段で無線タグとの交信を行い、無線タグの種類を認識し、複写した対象物と複写枚数などを記録し、集計して著作者へ通知することにより、複写枚数に応じた課金処理が可能になる。
【００４４】
また、請求項１４にかかる発明は、共通のネットワーク上に、画像読取手段により読取対象の原稿を光学走査して画像データを取得し、当該画像データを記録媒体に画像形成する画像形成手段と、出版物のページ記述言語を記憶し、かつ当該出版物の課金情報にしたがって課金する課金システムと、を具備した画像形成システムであって、前記原稿を光学走査する走行体に搭載され、前記原稿に電波をあて、当該原稿の無線タグとの交信を行なう電波送受信手段と、前記電波送受信手段へ送信する電波を生成する無線変調手段と、前記電波送受信手段からの電波を復調する無線復調手段と、前記電波送受信手段により読み取られた無線タグの内容を記憶する無線タグ内容記憶手段と、前記無線タグ内容記憶手段に記憶された内容にしたがって前記ネットワークをかいして著作権を有する出版社へアクセスし、ページ記述言語による画像データを要求する送信手段と、前記無線タグ内容記憶手段に記憶された内容にしたがって前記ネットワークをかいして著作権を有する出版社へアクセスし、ページ記述言語による画像データを受信する受信手段と、前記受信手段により受け取った画像データを解析し、ページ画像データを生成するプリント画像生成手段と、前記無線タグ内容記憶手段に記憶された内容にしたがって対象物の著作権料の課金処理を前記課金システムにアクセスして行なう課金処理手段と、を備えたことを特徴とする。
【００４５】
この請求項１４にかかる発明によれば、原稿を読み取る走行体に当該原稿の無線タグとの交信を行なう電波送受信手段を搭載し、画像の読み込みと同時に電波送受信手段で無線タグとの交信を行い、無線タグの内容をネットワークをかいして著作権を有する出版社へアクセスし、ページ記述言語による画像データを要求してページ記述言語による画像形成を行なうことにより、高画質の複写処理、および枚数に応じた課金処理が可能になる。
【００４６】
また、請求項１５にかかる発明は、電波を送受信する電波送受信手段と、前記電波送受信手段へ送信する電波を生成する無線変調手段と、前記電波送受信手段からの電波を復調する無線復調手段と、前記無線受信手段により読み取られた無線タグの内容を記憶する無線タグ内容記憶手段と、前記無線タグ内容記憶手段に記憶されたページ記述言語を解析し、ページ画像データを生成するプリント画像生成手段と、前記無線タグ内容記憶手段に記憶された内容にしたがって対象物の著作権料の課金処理を行なう課金処理手段と、を備えたことを特徴とする。
【００４７】
この請求項１５にかかる発明によれば、無線受信手段により読み取られた無線タグの内容を記憶し、この記憶されたページ記述言語を解析しページ画像データを生成し、無線タグ内容記憶手段に記憶された内容にしたがって対象物の著作権料の課金処理を行なうことにより、高画質の複写処理、および枚数に応じた課金処理が可能になる。
【発明の効果】
【００４８】
本発明（請求項１）にかかる画像形成装置は、搬送部と転写部との搬送経路に電波送受信手段を配置し、無線変調手段で生成された電波によって、印刷と同時に搬送された記録媒体の無線タグからの電波を電波送受信手段をかいして受け取り、無線復調手段で復調するため、当該記録媒体の無線タグ有無および内容に対応した処理を行なえるという効果を奏する。
【００４９】
また、本発明（請求項２）にかかる画像形成装置は、搬送部と転写部との搬送経路に電波送受信手段を配置し、無線変調手段で生成された電波によって、印刷と同時に搬送された記録媒体の無線タグからの電波を電波送受信手段をかいして受け取り、無線復調手段で復調する動作により記録媒体の無線タグと交信し、識別番号認識手段で無線タグの識別番号を認識し、偽造防止判定手段で当該認識された識別番号が偽造防止対象であるかを判定し、その判定結果にしたがった処理を実行するので、偽造となる画像形成を阻止することができるという効果を奏する。
【００５０】
また、本発明（請求項３）にかかる画像形成装置は、請求項２に加え、搬送部にダミー無線送信手段を配置し、最初の印刷時にダミーの電波を送信し、搬送された記録媒体の無線タグを探知するシステムが正常に動作するかを判定するので、機器の偽造防止機能を正常に動作させることができるという効果を奏する。
【００５１】
また、本発明（請求項４）にかかる画像形成装置は、請求項２または３において、追跡パターンデータとページ画像データとを合成するため、偽造行為の防止および追跡を容易に行なうことができるという効果を奏する。
【００５２】
また、本発明（請求項５）にかかる画像形成装置は、請求項２または３において、読み込まれた画像のヘッダーに偽造防止判定結果を記録するため、偽造行為の履歴を確認することができるという効果を奏する。
【００５３】
また、本発明（請求項６）にかかる画像形成装置は、請求項２または３において、読み込まれた無線タグの情報を記録するので、読み込んだ無線タグの内容を後で確認することができるという効果を奏する。
【００５４】
また、本発明（請求項７）にかかる画像形成方法は、無線変調工程で生成された電波によって、印刷と同時に搬送された記録媒体の無線タグからの電波を電波送受信工程で受け取り、無線復調工程で復調するため、当該記録媒体の無線タグ有無および内容に対応した処理を行なえるという効果を奏する。
【００５５】
また、本発明（請求項８）にかかる画像形成方法は、無線変調工程で生成された電波によって、印刷と同時に搬送された記録媒体の無線タグからの電波を電波送受信工程で受け取り、無線復調工程で復調する動作により記録媒体の無線タグと交信し、識別番号認識工程で無線タグの識別番号を認識し、偽造防止判定工程で当該認識された識別番号が偽造防止対象であるかを判定し、その判定結果にしたがった処理を実行するので、偽造となる画像形成を阻止することができるという効果を奏する。
【００５６】
また、本発明（請求項９）にかかる画像形成方法は、請求項８に加え、最初の印刷時にダミーの電波を送信し、搬送された記録媒体の無線タグを探知するシステムが正常に動作するかを判定するので、機器の偽造防止機能を正常に動作させることができるという効果を奏する。
【００５７】
また、本発明（請求項１０）にかかる画像形成方法は、請求項８または９において、追跡パターンデータとページ画像データとを合成するため、偽造行為の防止および追跡を容易に行なうことができるという効果を奏する。
【００５８】
また、本発明（請求項１１）にかかる画像形成方法は、請求項８または９において、読み込まれた画像のヘッダーに偽造防止判定結果を記録するため、偽造行為の履歴を確認することができるという効果を奏する。
【００５９】
また、本発明（請求項１２）にかかる画像形成方法は、請求項８または９において、読み込まれた無線タグの情報を記録するので、読み込んだ無線タグの内容を後で確認することができるという効果を奏する。
【００６０】
また、本発明（請求項１３）にかかる画像形成システムは、原稿を読み取る走行体に当該原稿の無線タグとの交信を行なう電波送受信手段を搭載し、画像の読み込みと同時に電波送受信手段で無線タグとの交信を行い、無線タグの種類を認識し、複写した対象物と複写枚数などを記録し、集計して著作者へ通知するため、複写枚数に応じた課金処理を行なうことができるという効果を奏する。
【００６１】
また、本発明（請求項１４）にかかる画像形成システムは、原稿を読み取る走行体に当該原稿の無線タグとの交信を行なう電波送受信手段を搭載し、画像の読み込みと同時に電波送受信手段で無線タグとの交信を行い、無線タグの内容をネットワークをかいして著作権を有する出版社へアクセスし、ページ記述言語による画像データを要求してページ記述言語による画像出力を行なうため、高画質の複写処理およびその枚数に応じた課金処理を行なうことができるという効果を奏する。
【００６２】
また、本発明（請求項１５）にかかる画像形成システムは、無線受信手段により読み取られた無線タグの内容を記憶し、この記憶されたページ記述言語を解析しページ画像データを生成し、無線タグ内容記憶手段に記憶された内容にしたがって対象物の著作権料の課金処理を行なうため、高画質の複写処理およびその枚数に応じた課金処理を行なうことができるという効果を奏する。
【発明を実施するための最良の形態】
【００６３】
以下に添付図面を参照して、この発明にかかる画像形成装置、画像形成方法および画像形成システムの実施の形態を詳細に説明する。
【００６４】
（第１の実施の形態）
この第１の実施の形態は、搬送部にアンテナを有して、印刷と同時に搬送された紙の無線タグとの交信を行ない、画像形成時の画像処理を変更することを可能とするものである。上記アンテナにより、画像形成と同時に搬送された紙の無線タグとの交信を行ない、無線タグの種類を認識し、偽造防止対象である場合は、偽造防止処理を行うことにより、偽造防止することを可能とするものである。さらに、搬送部にダミーアンテナを有し、最初の印刷時にダミーの電波を送信し、搬送された紙の無線タグを探知するシステムが正常に動作するかを判定することにより、機器の偽造防止機能が正常に動作させるものである。以下、具体的に説明する。
【００６５】
まず、本発明が適用される画像形成装置の構成および動作について説明する。図１は、本発明の実施の形態にかかる画像形成装置の機構部の構成例を示す説明図である。以下、図１の画像形成装置をカラープリンタと記述する。なお、この実施の形態ではレーザーカラープリンタを例にとるが、インクジェットプリンタなど他のカラープリンタであってもよい。
【００６６】
この図１に示す画像形成装置は、レーザー光書込みおよび電子写真プロセスにしたがい、４色（Ｙ（イエロー）、Ｍ（マゼンタ）、Ｃ（シアン）、Ｋ（ブラック））の画像をそれぞれ独立に配置された作像系１Ｙ、１Ｍ、１Ｃ、１Ｋで形成し、この４色の画像を記録媒体に順次重ね合わせて転写し合成する４ドラムタンデムエンジンタイプの画像形成装置である。
【００６７】
各作像系１Ｙ、１Ｍ、１Ｃ、１Ｋは、像担持体としての感光体、たとえば小径のＯＰＣ（有機感光体）ドラム２Ｙ、２Ｍ、２Ｃ、２Ｋを有し、このＯＰＣドラム２Ｙ、２Ｍ、２Ｃ、２Ｋを取り囲むように作像の上流側から帯電手段としての帯電ローラ３Ｙ、３Ｍ、３Ｃ、３Ｋと、ＯＰＣドラム２Ｙ、２Ｍ、２Ｃ、２Ｋ上の静電潜像をそれぞれ現像剤で現像してＹ、Ｍ、Ｃ、Ｋ各色のトナー像とする現像装置４Ｙ、４Ｍ、４Ｃ、４Ｋと、クリーニング装置５Ｙ、５Ｍ、５Ｃ、５Ｋと、除電装置６Ｙ、６Ｍ、６Ｃ、６Ｋなどが配置されている。
【００６８】
各現像装置４Ｙ、４Ｍ、４Ｃ、４Ｋの脇には、Ｙトナー、Ｍトナー、Ｃトナー、Ｋトナーをそれぞれ現像装置４Ｙ、４Ｍ、４Ｃ、４Ｋへ所定の色のトナーを補給するトナーボトルユニット７Ｙ、７Ｍ、７Ｃ、７Ｋが配置されている。また、各作像系１Ｙ、１Ｍ、１Ｃ、１Ｋはそれぞれ独立に配置されたレーザーによる光書き込み装置８Ｙ、８Ｍ、８Ｃ、８Ｋが配置され、この光書き込み装置８Ｙ、８Ｍ、８Ｃ、８Ｋはレーザー光源としてのレーザーダイオード（ＬＤ）光源９Ｙ、９Ｍ、９Ｃ、９Ｋや、コリメートレンズ１０Ｙ、１０Ｍ、１０Ｃ、１０Ｋ、ｆθレンズ１１Ｙ、１１Ｍ、１１Ｃ、１１Ｋ、といった光学部品、偏向走査手段としてのポリゴンミラー１２Ｙ、１２Ｍ、１２Ｃ、１２Ｋ、折り返しミラー１３Ｙ、１３Ｍ、１３Ｃ、１３Ｋ、１４Ｙ、１４Ｍ、１４Ｃ、１４Ｋなどを有する。
【００６９】
各作像系１Ｙ、１Ｍ、１Ｃ、１Ｋは垂直に配列され、その右側には転写ベルトユニット１５がＯＰＣドラム２Ｙ、２Ｍ、２Ｃ、２Ｋに接する形で配置される。転写ベルトユニット１５は、転写ベルト１６がローラ１７〜２０に張架されて駆動源（不図示）により回転駆動される。装置下側には転写材としての記録媒体（この実施の形態では記録紙）が収納された給紙トレイ２１が配置され、装置上部に熱定着ローラと加圧ローラを有する定着装置２２、排紙ローラ２３および排紙トレイ２４が配設されている。
【００７０】
作像時には、各作像系１Ｙ、１Ｍ、１Ｃ、１Ｋにおいて、それぞれ、ＯＰＣドラム２Ｙ、２Ｍ、２Ｃ、２Ｋが駆動源(不図示)により回転駆動され、帯電ローラ３Ｙ、３Ｍ、３Ｃ、３ＫによりＯＰＣドラム２Ｙ、２Ｍ、２Ｃ、２Ｋが一様に帯電されて光書き込み装置８Ｙ、８Ｍ、８Ｃ、８Ｋが各色の画像データに基づきレーザーダイオードを変調し、そのレーザー光を偏向走査してＯＰＣドラム２Ｙ、２Ｍ、２Ｃ、２Ｋに光書込みを行なうことによって、ＯＰＣドラム２Ｙ、２Ｍ、２Ｃ、２Ｋ上に静電潜像が形成される。
【００７１】
このＯＰＣドラム２Ｙ、２Ｍ、２Ｃ、２Ｋ上の静電潜像はそれぞれ現像装置４Ｙ、４Ｍ、４Ｃ、４Ｋにより現像されてＹ、Ｍ、Ｃ、Ｋ各色のトナー像となり、一方、給紙トレイ２１から搬送ローラ２５により記録媒体が水平方向に搬送されて搬送系により作像系１Ｙ、１Ｍ、１Ｃ、１Ｋ方向へ垂直に搬送される。この記録媒体は、転写ベルト１６に静電的に吸着保持されて転写ベルト１６により搬送され、転写バイアス印加手段（不図示）により転写バイアスが印加されてＯＰＣドラム２Ｙ、２Ｍ、２Ｃ、２Ｋ上のＹ、Ｍ、Ｃ、Ｋ各色のトナー像を順次に重ねて合わせて記録媒体に転写することでフルカラー画像が記録媒体上に形成される。このフルカラー画像が形成された記録媒体は、定着装置２２によりフルカラーのトナー画像が熱および圧力の作用によって定着されて排紙ローラ２３により排紙トレイ２４へ排出される。なお、上述した各機能要素を駆動制御し、また各種の画像処理などを実行する電装・制御装置２６が搭載されている。
【００７２】
特に、この画像形成装置には、搬送部の搬送ローラ２８の直前に、電波を送受信するアンテナ２７を配置している。この搬送ローラ２８とアンテナ２７と記録媒体の関係を図２に示す。このようにアンテナ２７を長くのばし、図２に示すように記録媒体Ｐの進行方向とは垂直方向に長く伸ばし記録媒体Ｐ全体のＲＦＩＤ（Ｒａｄｉｏ  Ｆｒｅｑｕｅｎｃｙ  Ｉｄｅｎｔｉｆｉｃａｔｉｏｎ）を検出できるように構成する。
【００７３】
図３は、図１におけるアンテナ２７の構成例を示す説明図である。この例では、細かなアンテナ２７ａを複数使用した例について示している。このように１つのアンテナを長くのばし、図２のように記録媒体Ｐの進行方向とは垂直方向に長く伸ばし記録媒体Ｐ全体のＲＦＩＤを見つけることができる。
【００７４】
つぎに、以上のように構成された画像形成装置および電装・制御装置２６の詳細な構成および動作について説明する。図４は、本発明の第１の実施の形態にかかる電装・制御装置２６などの詳細構成を示すブロック図である。この図４において、ＣＰＵ２０１は、ＰＤ（Ｌｐａｇｅ  ｄｅｓｃｒｉｐｔｉｏｎ  ｌａｎｇｕａｇｅ）の解析処理や、画像形成装置の全体の制御を実行する。ＣＰＵＩ／Ｆ２０２は、メモリコントローラ２０３に接続され、ＣＰＵ２０１とメモリコントローラ２０３間のインターフェイス処理を行なう。メモリコントローラ２０３は、メインメモリ２０４を制御し、ＣＰＵ２０１、ローカルバス、偽造防止処理装置２１６、通信処理装置２１３などとメインメモリ２０４との転送を制御する。メインメモリ２０４は、画像形成装置のＰＤＬやＣＰＵ２０１のプログラム、各種データなどを格納する。描画処理装置２０５は、ＰＣ２００からのＰＤＬを受け取って、メインメモリ２０４のページメモリ領域へ描画処理を行なう。ローカルＩ／Ｆ２０６は、ＲＯＭ２０７、パネルコントローラ２０８などと、ＣＰＵ２０１、メインメモリ２０４などのとのインターフェイス制御を実行する。ＲＯＭ２０７は、文字などのフォント情報や、ＣＰＵ２０１のプログラムなどを格納する。パネルコントローラ２０８は、オペレーションパネル２０９を制御する。オペレーションパネル２０９は、ユーザーからの操作を装置へ入力設定したり、装置の状態を表示する。
【００７５】
また、ＨＤＤ制御装置２１１は、ＨＤＤ２１２を制御する。通信処理装置２１３は、ＰＣ２００との通信を行なう。リーダライター２１４は、アンテナ２７に対して無線タグへの要求を送信したり、無線タグからの回答を受信したりする。アンテナ２７は、搬送時に無線タグを検出し、情報を読み込む。無線タグ情報判定装置２１５は、リーダライター２１４から送られてきた無線タグの認識番号などを認識し、メインメモリ２０４の無線タグアクセスメモリ領域へ無線タグの情報を書き込む。偽造防止処理装置２１６は、無線タグ情報判定装置２１５の判定結果に基づき偽造防止処理を行なう。画像処理装置２１７は、偽造防止処理装置２１６からの画像データに画像処理を行い、プリンタエンジン２１９へ転送する。エンジンコントローラ２１８は、プリンタエンジン２１９を制御する。プリンタエンジン２１９は、図１に示したような画像形成プロセスによって記録媒体に画像を形成する。ＰＣ２００は、ネットワーク５０を介して画像形成装置に接続されている。すなわち、ＰＣ２００は、アプリケーションソフトで印刷する画像ファイルを作成し、プリンタドライバーによりＰＤＬ（ｐａｇｅ  ｄｅｓｃｒｉｐｔｉｏｎ  ｌａｎｇｕａｇｅ）あるいはＰＤＦ（Ｐｏｔａｂｌｅ  Ｄｏｃｕｍｅｎｔ  Ｆｏｒｍａｔ）などのページ記述言語を作成し、通信処理装置２１３へ送る。
【００７６】
ネットワーク５０は、公衆回線や専用回線を経由して外部と接続するＷＡＮ（Ｗｉｄｅ  Ａｒｅａ  Ｎｅｔｗｏｒｋ：広域通信網）と、同一敷地内でネットークを構築するＬＡＮ（Ｌｏｃａｌ  Ａｒｅａ  Ｎｅｔｗｏｒｋ：構内通信網）に分類される方式、あるいは、そのいずれの方式であってもよい。また、インターネット機能を備える場合、ＴＣＰ／ＩＰ（Ｔｒａｎｓｍｉｓｓｉｏｎ  Ｃｏｎｔｏｒｏｌ  Ｐｒｏｔｏｃｏｌ／Ｉｎｔｅｒｎｅｔ  Ｐｒｏｔｏｃｏｌ）であってもよい。さらには、無線ＬＡＮによる接続であってももちろんよい。
【００７７】
図５は、本発明の実施の形態にかかる画像処理の流れを示すブロック図である。この図５において、ＰＣ２００はＰＤＬ（Ｐａｇｅ  Ｄｅｓｃｒｉｐｔｉｏｎ  Ｌａｎｇｕａｇｅ）を生成してネットワークをかいして画像形成装置へ転送し、メインメモリ２０４のＰＤＬメモリ領域２０４ａへ転送する。メインメモリ２０４のＰＤＬメモリ領域２０４ａはＰＣ２００からのＰＤＬデータを記憶する。ＣＰＵ２０１は、ＰＤＬを解析して中間言語を生成し、描画処理装置２１１へ転送する。描画処理装置２１１は、ＣＰＵ２０１から中間言語を受け取り、メインメモリ２０４のページメモリ領域２０４ｂへ描画する。メインメモリ２０４のページメモリ領域２０４ｂは、描画処理装置２１１により描画されたページ画像を記憶する。
【００７８】
また、アンテナ２７は、搬送時に記録媒体に無線タグがないかを検出するために電波の送信/受信を繰り返す。リーダライター２１４は、アンテナ２７に対して無線タグへの要求を送信したり、無線タグからの回答を受信したりし、無線タグから回答があった場合は、無線タグ情報判定装置２１５へ無線タグの情報を送る。無線タグ情報判定装置２１５は、リーダライター２１４から送られてきた無線タグの認識番号などを認識し、無線タグメモリ領域２０４ｍへ無線タグの情報を書き込み、もし、偽造防止の無線タグを見つけた場合は、ページヘッダー領域２０４ｈへ偽造防止が必要であることを記録する。メインメモリ２０４の無線タグメモリ領域２０４ｍは、アクセスされた無線タグの内容を記憶する。ＨＤＤ２１２は、無線タグメモリ領域２０４ｍの内容を２次記憶として記憶する。偽造防止処理装置２１６は、無線タグメモリ領域２０４ｍで偽造防止が必要であると判断した場合に追跡パターンを読み込み偽造防止処理を行なう。追跡パターンメモリ領域２０４ｐは、偽造防止処理装置２１６が処理するための追跡パターンを記憶している。画像処理装置２１７は、偽造防止処理装置２１６からの画像データを色変換を行なう。また、画像処理装置２１７は、1色補正処理後のデータに階調処理を行なう。プリンタエンジン２１２は、プリンタコントローラ２１８をかいして階調処理後のデータをプリント出力する。
【００７９】
図６は、本発明の第１の実施の形態にかかる画像形成装置の処理概念を示すブロック図である。図において、アンテナ２７は、搬送タイミングに同期し、無線タグへの電波を送信したり、無線タグからの電波を受信したりする。リーダライター２１４は、アンテナ２７に対して無線タグへの要求を送信したり、無線タグからの回答を受信したりする。この詳細な構成および動作については後述する。無線タグ情報判定装置２１５は、リーダライター２１４から送られてきた無線タグの情報を判定し、メモリの無線タグメモリ領域２０４ｍへ情報を書き込む。図９に無線タグ情報の例を示す。ＰＣ２００は、プリント出力するＰＤＬを作成し、ネットワーク５０をかいして通信処理装置２１３へ転送する。通信処理装置２１３は、ＰＣ２００からＰＤＬを受け取りメインメモリ２０４のＰＤＬメモリ領域２０４ａへ書き込む。ＣＰＵ２０１は、メインメモリ２０４のＰＤＬメモリ領域２０４ａのＰＤＬを読み込んで解析し、描画処理装置２１１へ描画コマンドを転送する。描画処理装置２１１は、ＣＰＵ２０１からの描画コマンドを解析し、ページメモリ領域２０４ｂへ描画する。メインメモリ２０４は、ＰＣ２００からのＰＤＬやページ画像データや、アンテナ２７で読み込まれた無線タグ情報などを格納する。ＨＤＤ２１２は、無線タグ情報判定装置２１５からの無線タグ情報を記録する。偽造防止処理装置２１６は、ページヘッダー領域２０４ｈのページヘッダーを読み込み偽造防止処理を行なうか判断し、偽造防止処理を行なう場合はページ画像データと追跡パターンを読み込み偽造防止処理を行なう。画像処理装置２１７は、色変換処理、階調処理などを行い、ラインメモリ２１８ａへ転送する。ラインメモリ２１８ａは、画像処理後のデータを一時格納する。
【００８０】
なお、図９に示す無線タグ情報は、金券の例を示し、時間、種類、製造元、有効期限、登録番号といったアクセス情報を無線タグメモリ領域２０４ｍへ書き込むものである。
【００８１】
図７は、図６における通常の印刷処理の流れを示すブロック図である。この印刷処理の流れを矢印番号で示す。ＰＣ２００は、印刷するＰＤＬを作成し、ネットワーク５０をかいしてプリンタへ送る。ＣＰＵ２０１は、ＰＤＬを解析し、描画処理装置２１１へ描画コマンドを送る。描画処理装置２１１は、ページメモリ領域２０４ｂへ描画処理を行なう。偽造防止処理装置２１６は、ページ画像データを読み込み画像処理装置２１７へ転送する。画像処理装置２１７は、ページ画像データを読み込み画像処理を行いプリンタエンジン２１９へ転送する。
【００８２】
図８は、図６における偽造防止処理時の印刷処理の流れを示すブロック図である。この印刷処理の流れを矢印番号で示す。ＰＣ２００は、印刷するＰＤＬを作成し、ネットワーク５０をかいして画像形成装置へ送る。ＣＰＵ２０１は、ＰＤＬを解析し、描画処理装置２１１へ描画コマンドを送る。描画処理装置２１１は、ページメモリ領域２０４ｂへ描画処理を行なう。アンテナ２７は、搬送時に無線タグがないかをサーチし、無線タグがある場合は無線タグ情報判定装置２１５へ知らせる。無線タグ情報判定装置２１５は、無線タグメモリ領域２０４ｍへ無線タグ情報を書き込み、偽造防止の場合はページヘッダー領域２０４ｈへ偽造防止が必要であることを書き込む。偽造防止処理装置２１６は、ページヘッダーを読み込み、偽造防止が必要であるかを判断し、偽造防止が必要な場合はページ画像データと追跡パターンを読み込み偽造防止処理を行い、画像処理装置へ２１７転送する。画像処理装置２１７は、ページ画像データを読み込み画像処理を行いプリンタエンジン２１９へ転送する。
【００８３】
つぎに、図１０に示すブロック図を参照し、無線タグとリーダライターの構成について説明する。無線タグ２２０は、メモリ２２１、データ処理回路２２２、変調回路２２３、送信ドライバー２２４、アンテナ入力回路２２５、電源生成回路２２６、復調回路２２７、受送信アンテナ２２８を備えている。
【００８４】
メモリ２２１は、無線タグの認識番号や無線タグの内容などを記憶する。データ処理回路２２２は、各種のデータ処理を行なう。変調回路２２３は、送信データに対して変調処理を行なう。送信ドライバー２２４は、送信処理を行なう。アンテナ入力回路２２５は、受送信アンテナの制御を行なう。電源生成回路２２６は、受信した電力波を整流して平滑することにより、安定した直流電圧を生成して、各回路に動作電圧として供給する。復調回路２２７は、受信信号に対して復調処理を行なう。
【００８５】
リーダライター２１４は、データ処理回路１３０、変調回路１３１、送信ドライバー１３２、アンテナ入力回路１３３、復調回路１３４を備えている。
【００８６】
データ処理回路１３０は、各種のデータ処理を行い、受信した情報を無線タグ情報判定装置２１５へ転送する。変調回路１３１は、送信データに対して変調処理を行なう。送信ドライバー１３２は、送信処理を行なう。アンテナ入力回路１３３は、受送信アンテナの制御を行なう。復調回路１３４は、受信信号に対して復調処理を行なう。
【００８７】
図１１は、無線タグ２２０とリーダライター２１４との交信動作例を示す説明図である。まず、リーダライター２１４は無線タグ２２０に対して識別情報の要求を行なう（ステップＳ１）。すると、無線タグ２２０はリーダライター２１４に対してその識別情報の応答を行なう（ステップＳ２）。続いて、リーダライター２１４は無線タグ２２０に対して記録内容のアクセスを要求する（ステップＳ３）。すると、無線タグ２２０はリーダライター２１４に対して記録内容のアクセス情報（たとえば図９参照）の応答を行なう（ステップＳ４）。
【００８８】
図１２は、本発明の第１の実施の形態にかかる画像形成装置の無線タグとの交信処理を示すフローチャートである。この図において、まず、印刷を開始したか否かを判断し（ステップＳ１１）、印刷を開始したと判断したならば、識別情報要求信号を送信し（ステップＳ１２）、さらに識別情報の応答を行なったか否かを判断する（ステップＳ１３）。ここで、当該識別情報は偽造防止対象のものであるか否かを判断し（ステップＳ１４）、偽造防止対象の識別情報である場合、ページヘッダに偽造防止対象であることを追記し（ステップＳ１５）、無線タグの詳細情報を読み込み、無線タグメモリ領域２０４ｍへ書き込む（ステップＳ１６）。
【００８９】
図１３は、図４における偽造防止処理装置２１６の詳細構成を示すブロック図である。この偽造防止処理装置２１６は、ＭＵＸ（マルチプレクサ）２３５、画像合成装置２３６、追跡パターンデータアドレス生成装置２３７を備えている。
【００９０】
ＭＵＸ２３５は、偽造防止フラグが“１”（偽造防止対象である。）の場合は追跡パターンを画像合成装置２３６へ転送し、偽造防止フラグが“０”（偽造防止対象でない。）の場合は“０”パターンを画像合成装置２３６へ転送する。画像合成装置２３６は、復号された画像とＭＵＸ２３５からの合成パターンを受け取り画像合成を行なう。追跡パターンデータアドレス生成装置２３７は、メインメモリ２０４の追跡パターンメモリ領域２０４ｐのアドレスを生成する。
【００９１】
図１４は、図４における画像処理装置２１７の詳細構成を示すブロック図である。この画像処理装置２１７は、ＢＵＦ（バッファ）２４１、色変換処理装置２４２、諧調処理装置２４３、ＰＩＸＥＬ  Ｔｏ  ＰＬＡＮＥ変換装置２４４、ＢＵＦ（バッファ）２４５、コントローラ２４６を備えている。
【００９２】
ＢＵＦ２４１は、偽造防止処理装置２１６からの画像データを一時格納する。色変換処理装置２４２は、ＢＵＦ２４１に格納された画像データをＣＭＹＫへ色変換を行なう。階調処理装置２４３は、色変換処理装置２４２により色変換されたＣＭＹＫデータに階調処理を行なう。ＰＩＸＥＬ  Ｔｏ  ＰＬＡＮＥ変換装置２４４は、階調処理後のＣＭＹＫデータをＣ，Ｍ，Ｙ，Ｋの各プレーンごとメモリのワードサイズに並び替える。ＢＵＦ２４５は、ＰＩＸＥＬ  Ｔｏ  ＰＬＡＮＥ変換装置２４４からのデータを一時格納する。
【００９３】
つぎに、この第１の実施の形態の他の例について説明する。図１５は、本発明の第１の実施の形態にかかるカラープリンタの他の構成を示す説明図であり、前述した図１の構成に対し、後述するダミーアンテナ２９を付加したものである。したがって、図１と同様に機能要素については同一符号を付し、ここでの重複説明は省略する。
【００９４】
すなわち、搬送時に、アンテナ２７により、搬送される記録媒体を順次サーチし、無線タグの有無についての判定を行なうために無線タグへの電波の送信と、受信の処理を繰り返し行なう。また、ダミーアンテナ２９は印刷前にアンテナ２７が正常に動作するかを判断するためにダミーの電波を発信し、アンテナ２７で受信できるかを判断するように構成する。図１８に、ダミーアンテナ２９の構成例を示す。
【００９５】
上記画像形成装置の電装・制御装置の構成を図１６のブロック図に示す。ここでは、上述のようにダミーアンテナ２９のダミー信号を生成するダミー信号生成装置２５０を、前述した図４の構成に付加したものである。すなわち、ダミー信号生成装置２５０は、印刷開始時にアンテナ２７が正常動作するかを判断するためにダミー信号を生成する。ダミーアンテナ２９は、ダミー信号生成装置２５０により生成されたダミー信号を電波として発信し、アンテナ２７で受信させる。
【００９６】
図１７は、この第１の実施の形態の図１５の構成にかかるダミーアンテナとアンテナの無線タグとの交信動作を示すフローチャートである。この図において、まず、印刷を開始したか否かを判断し（ステップＳ２１）、印刷を開始したと判断したならば、ダミーアンテナ２９からダミー信号を送信する（ステップＳ２２）。続いて、アンテナ２７はダミー信号を受信したか否かを判断し（ステップＳ２３）、ダミー信号を受信したならば、続いて、識別情報要求信号を送信し（ステップＳ２４）、さらに識別情報の応答を行なったか否かを判断する（ステップＳ２５）。ここで、当該識別情報は偽造防止対象のものであるか否かを判断し（ステップＳ２６）、偽造防止対象の識別情報である場合、ページヘッダーに偽造防止対象であることを追記し（ステップＳ２７）、無線タグの詳細情報を読み込み、無線タグメモリ領域２０４ｍへ書き込む（ステップＳ２８）。一方、ステップＳ２３において、ダミー信号を送信したのにもかかわらずアンテナ２７がダミー信号を受信していない場合、アンテナ２７が壊れているとみなして当該印刷を中止する（ステップＳ２９）。
【００９７】
したがって、この第１の実施の形態によれば、搬送部にアンテナ２７を配置し、印刷と同時に搬送された記録媒体の無線タグとの交信を行い、印刷時の画像処理を変更することができる。また、印刷と同時に搬送された紙の無線タグとの交信を行い、無線タグの種類を認識し、偽造防止対象である場合は、偽造防止処理を行うことにより、偽造防止することができる。さらに、搬送部にダミーアンテナ２９を配置し、最初の印刷時にダミーの電波を送信し、搬送された紙の無線タグを探知するシステムが正常に動作するかを判定することにより、機器の偽造防止機能が正常に動作させることができる。
【００９８】
すなわち、記録媒体の搬送部分にアンテナ２７を配し、印刷する記録媒体に無線タグが装着されてないかを判断し、ある場合は、その無線タグが偽造防止対象であるかを判断し、偽造防止対象であれば、ページヘッダーに偽造防止を実行するように指示し、無線タグアクセス記録に無線タグの種類と時間などを記録し、かつ印刷時に追跡パターンを入れ込んで印刷するなどの偽造防止処理を行なう。さらに、アンテナ２７を壊して、偽造することが考えられるためにダミーアンテナ２９を使用し、印刷開始時にダミー信号を発信し、アンテナ２７が受信できるかを判断し、受信できなければ、アンテナ２７が壊れているために印刷を中止することにより、偽造を防止することができる。
【００９９】
なお、この実施の形態では、金券などの偽造防止を例にとって説明してきたが、搬送装置から転写ベルト（転写部）間の記録媒体の搬送経路（搬送から画像転写が行なわれるまでの経路）において、記録媒体のＲＦＩＤ（Ｒａｄｉｏ  Ｆｒｅｑｕｅｎｃｙ  Ｉｄｅｎｔｉｆｉｃａｔｉｏｎ）をチェックするシステムとしては、本発明を使用すれば、容易に同様に適用することができる。
【０１００】
（第２の実施の形態）
この第２の実施の形態では、スキャナーの走行体にアンテナを有して、画像の読み込みと同時にアンテナで無線タグとの交信を行い、無線タグの種類を認識し、複写した対象物と複写毎数などを記録し、集計し、著作権を有する企業へ通知することにより、課金を可能とする課金システムを構築することが可能とするものである。また、出版物の無線タグとアンテナで交信を行い、無線タグの種類と対象物と出版社を認識し、出版社の課金システムへプリントしたいページと枚数を通知し、ＰＤＬ（ｐａｇｅ  ｄｅｓｃｒｉｐｔｉｏｎ  ｌａｎｇｕａｇｅ）またはＰＤＦ（Ｐｏｔａｂｌｅ  Ｄｏｃｕｍｅｎｔ  Ｆｏｒｍａｔ）を読み込みプリントすることにより画質のきれいな複写処理を行うことができ、かつ課金を可能とする課金システムを構築することが可能とするものである。以下、具体的に説明する。
【０１０１】
まず、本発明が適用される画像形成装置の構成例について説明する。図１９は、本発明の第２の実施の形態にかかる画像形成装置の構成を示す説明図である。この画像形成装置は、いわゆる、マルチファンクションタイプであり、複写機能と、これ以外の機能、たとえばプリンタ機能、ファクシミリ機能とを有し、操作部のアプリケーション切り替えキーにより複写機能、プリンタ機能、ファクシミリ機能を順次に切り替えて選択することが可能である。すなわち、複写機能の選択時には複写モードとなり、プリンタ機能の選択時にはプリントモードとなり、ファクシミリモードの選択時にはファクシミリモードとなる。
【０１０２】
複写モードでは、つぎのように動作する。自動原稿送り装置（以下、ＡＤＦという）１０１においては、原稿台１０２に原稿がその画像面を上にしてセットされる原稿束は、操作部上のスタートキーが押下されると、一番下の原稿が給送ローラ１０３、給送ベルト１０４によってコンタクトガラス１０５上の所定の位置に給送される。ＡＤＦ１０１は一枚の原稿の給送完了毎に原稿枚数をカウントアップするカウント機能を有する。コンタクトガラス１０５上の原稿は、画像読取装置１０６によって画像情報が読み取られた後に、給送ベルト１０４、排送ローラ１０７によって排紙台上に排出される。
【０１０３】
原稿セット検出器１０８にて原稿台１０２上につぎの原稿が有ることが検出された場合には、同様に原稿台１０２上の一番下の原稿が搬送ローラ１０３、給送ベルト１０４によってコンタクトガラス１０５上の所定の位置に給送される。このコンタクトガラス１０５上の原稿は、画像読み取り装置１０６によって画像情報が読み取られた後に、給送ベルト１０４、排送ローラ１０７によって排紙台上に排出される。ここで、給送ローラ１０３、給送ベルト１０４および排送ローラ１０７は搬送モータ（不図示）によって駆動される。
【０１０４】
第１搬送装置１１２、第２搬送装置１１３、第３搬送装置１１４は、操作部（不図示）から選択されたときあるいは自動選択により、それぞれ第１トレイ１０９、第２トレイ１１０、第３トレイ１１１に積載された転写材としての記録媒体を搬送し、この記録媒体は縦搬送ユニット１１５によって像担持体としての感光体ドラム１１６に当接する位置まで搬送される。なお、感光体ドラム１１６は、メインモータ（不図示）により回転駆動される。
【０１０５】
画像読取装置１０６にて原稿から読み込まれた画像データは、図示しない画像処理手段を介して書き込みユニット１１７によって光情報に変換され、感光体ドラム１１６は図示しない帯電器により一様に帯電された後に書き込みユニット１１７からの光情報で露光されて静電潜像が形成される。この感光体ドラム１１６上の静電潜像は現像装置１１８により現像されてトナー像となる。
【０１０６】
搬送ベルト１１９は、用紙搬送手段および転写手段を兼ねており、電源から転写バイアスが印加され、縦搬送ユニット１１５から搬送される記録媒体を感光体ドラム１１６と等速で搬送しながら感光体ドラム１１６上のトナー像を記録媒体に転写させる。この記録媒体は、定着装置１２０によりトナー像が定着され、排紙ユニット１２１により排紙トレイに排出される。感光体ドラム１１６はトナー像が転写された後に図示しないクリーニング装置によりクリーニングされる。なお、感光体ドラム１１６、帯電器、書き込みユニット１１７、現像装置１１８、転写手段は画像データにより画像を記録媒体上に形成する画像形成手段を構成している。
【０１０７】
以上の動作は通常のモードで記録媒体の片面に画像を複写するときの動作であるが、両面モードで記録媒体の両面に画像を複写する場合には、それぞれの給紙トレイ１０９〜１１１のいずれかより搬送されて表面に上述のように画像が形成された記録媒体は、排紙ユニット１２１により排紙トレイ側ではなく両面入紙搬送路１３３側に切り替えられ、反転ユニット１３４によりスイッチバックされて表裏が反転され、両面搬送ユニットへ搬送される。
【０１０８】
この両面搬送ユニットへ搬送された記録媒体は、両面搬送ユニットにより縦搬送ユニット１１６へ搬送され、縦搬送ユニット１１５により感光体ドラム１１６に当接する位置まで搬送され、感光体ドラム１１６上に上述と同様に形成されたトナー像が裏面に転写されて定着装置１２０でトナー像が定着されることにより両面コピーとなる。この両面コピーは排紙ユニット１２１により排紙トレイに排出される。
【０１０９】
また、記録媒体を反転して排出する場合には、反転ユニットによりスイッチバックされて表裏が反転された記録媒体は、両面搬送ユニット１３４に搬送されずに反転排紙搬送路を経て排紙ユニット１３３により排紙トレイに排出される。
【０１１０】
プリントモードでは、上記読み取って処理された画像データの代りに外部からの画像データが書き込みユニット１１７に入力されて上述の画像形成手段により記録媒体上に画像が形成される。さらに、ファクシミリモードでは、画像読取装置１０６からの画像データが図示しないファクシミリ送受信部により相手に送信され、相手からの画像データがファクシミリ送受信部で受信されて書き込みユニット１１７に入力されることにより、上述の画像形成手段により記録媒体上に画像が形成される。
【０１１１】
図２０に、図１９のスキャナー１０６の概要を示し、図２１には主にスキャナー１０６の光学系の概要を示す。第１キャリッジ１５０と第２キャリッジ１５１は、２本の対称に張架されたワイヤ１５３により、フォワ−ド方向とその逆のリタ−ン方向に駆動され、フォワ−ド方向の駆動の間に、原稿の画像の輝度が、ＣＣＤ１３８で電気信号に変換される。ワイヤ１５３は、駆動軸４と一体となったプーリ１５５に巻かれその回転により駆動される。プーリ１５５は、タイミングベルト１５６で、ステッピングモータ１５８の出力軸と一体となっているプーリ１５７に結合している。モータ１５８が正転すると、第１キャリッジ１５０がフォワ−ド方向に移動し、第２キャリッジ１５１がそれと同方向にその半分の速度で移動する。図２０、図２１における第１キャリッジ１５０と第２キャリッジ１５１の部分が走行体であり、主走査方向にランプを照射し、その反射光をミラー１３６，１３９，１４０、レンズ１３７をかいして主走査方向のＣＣＤ１３８へ集光し、順次、副走査方向に移動していく。
【０１１２】
上記第１キャリッジ１５０の部分に、前述したアンテナ２７（図３参照）を配置する。図５は第１キャリッジ１５０（走査体）により、原稿を副走査方向にスキャン（光学走査）する例を示すものである。
【０１１３】
図２３は、本発明の第２の実施の形態にかかる画像形成装置の構成を示すブロック図である。本構成は、第１の実施の形態で説明した図４の構成に対し、画像処理装置２１７の前に、スキャナー１０６からの信号を平滑化フィルタ処理を行なう平滑フィルタ処理装置３０１およびスキャナー１０６を配置した部分が異なる。また、ネットワーク５０上には大容量記憶装置２６０が接続されている。他は、図４と機能および構成は同様であるので、同一符号を付し、重複説明は省略する。
【０１１４】
スキャナー１０６（図１９〜図２１参照）、ＣＣＤ１３８により画像を読み込む。平滑フィルタ処理装置３０１は、スキャナー１０６から読み込んだ画像データをシェーディング補正、ＭＴＦγ補正などの画像処理を行なう。画像処理装置２１７は、平滑フィルタ処理装置３０１からの画像データに対して色変換処理、階調処理などを行ない、メインメモリ２０４のページメモリ領域へ書き込む。また、大容量記憶装置２６０は、ＰＣ２００の課金システムに管理されており、出版物のＰＤＬなどを記憶している。
【０１１５】
図２４は、本発明の第２の実施の形態にかかるシステムの機能概念を示すブロック図である。この図において、スキャナー１０６は、多値のＲＧＢの画像データを読み込む。平滑フィルター処理装置３０１は、スキャナー１０６から読み込んだ画像データをシェーディング補正、ＭＴＦγ補正などの画像処理を行ない画像処理装置２１７へ転送する。画像処理装置２１７は、色変換処理、階調処理などを行ない、メインメモリ２０４のページメモリ領域２０４ｂへ書き込む。メインメモリ２０４は、スキャナー１０６からの画像を画像処理したものや、プリンタのＰＤＬやアンテナで読み込まれた無線タグ情報や、端末３０３からのアクセス情報などを格納する。エンジンコントローラ２１８は、メインメモリ２０４から画像データをエンジンコントローラ２１８をかいしてプリンタエンジン２１９へ転送する。
【０１１６】
アンテナ２７は、図２２に示すように副走査方向に移動しながら無線タグへの電波を送信したり、無線タグからの電波を受信したりする。リーダライター２１４は、アンテナ２７に対して無線タグへの要求を送信したり、無線タグからの回答を受信したりする。なお、この詳細な構成は前述した図１０と同様であり、また、ブロック図を示す。無線タグとリーダライターの交信例は図１１と同様である。
【０１１７】
無線タグ情報判定装置２１５は、リーダライター２１４から送られてきた無線タグの情報を判定し、メインメモリ２０４の無線タグメモリ領域２０４ｍへ情報を書き込む。無線タグ情報の例を図３１示す。ここでは、著作権で保護されている出版本を例にとっている。端末３０３であり、ユーザーからのページ指定や、コピー枚数の指定など各種の指示をコピー機へ送る。端末制御装置３０２は、端末３０３を制御し、送られた情報をメインメモリ２０４の端末指定情報メモリ領域２０４ｔへ書き込む。ＣＰＵ２０１は、メインメモリ２０４のＰＤＬメモリ領域２０４ａからＰＤＬを読み込み解析し、描画処理装置２０５へ転送する。描画処理装置２０５は、ＣＰＵ２０１から受け取ったデータに基づきメインメモリ２０４のページメモリ領域２０４ｂへ描画処理を行なう。
【０１１８】
つぎに、上記システムにおける処理の流れについて説明する。図２５〜図３０は、本システムを使用し、本のあるページを出版物の課金システムでＰＤＬを読み込みプリント出力するシステムの概念を示すブロック図である。
【０１１９】
図２５は、コピー画像を本から取得する場合における処理の流れを示すブロック図である。スキャナー１０６に無線タグが埋め込まれた本をおき、アンテナ２７で無線タグの内容を読み込む。無線タグ情報判定装置２１５は、情報を認識し、メインメモリ２０４の無線タグメモリ領域２０４ｍへ書き込む。通信処理装置２１３は、メインメモリ２０４の無線タグメモリ領域２０４ｍから無線タグの情報を読み込みネットワーク５０を介して対応する出版社の課金管理システムをアクセスし対応可能であるかを問い合わせる。
【０１２０】
図２６は、ＰＤＬデータで印刷したい場合における処理の流れを示すブロック図である。ここでは、矢印番号に示すように、本の無線タグを認識し、出版社へ問い合わせる処理を行なう。
【０１２１】
図２７は、出版社の課金管理システムでプリント出力が可能である場合における処理の流れを示すブロック図である。矢印番号に示すように、まず、出版社の課金管理システムはコピー機へ対応可能であることを知らせる。ユーザーは得たい本のページ情報などを端末３０３で入力する。端末制御装置３０２はその情報をメモリのページ数,コピー枚数などの端末指定情報メモリ領域２０４ｔへ格納する。通信処理装置２１３は、メモリのページ数,コピー枚数などの端末指定情報メモリ領域２０４ｔから情報を読み込みネットワーク５０を介して出版社の課金管理システムへ情報を送る。
【０１２２】
図２８は、出版社の課金管理システムでＰＤＬがある場合における処理の流れを示すブロック図である。矢印番号に示すように、まず、出版社の課金管理システムで対応するページのＰＤＬを画像管理システムから読み込む。出版社の課金管理システムは、ネットワーク５０を介してＰＤＬを送る。通信処理装置２１３は、受け取ったＰＤＬをメインメモリ２０４のＰＤＬメモリ領域２０４ａへ格納する。ＣＰＵ２０１は、メインメモリ２０４のＰＤＬメモリ領域２０４ａからＰＤＬを読み込み解析し、描画処理装置へ転送する。描画処理装置２０５は、メインメモリ２０４のページメモリ領域２０４ｂへ描画処理を行なう。１ページ分のデータがそろうとエンジンコントローラ２１８により画像データをプリント処理する。すなわち、ユーザーからのページの画像データを検索し、そのＰＤＬをコピー機へ送り、コピー機はＰＤＬを解析し、ページ画像データを描画処理し、プリント出力を行なう。また、このとき、そのページのプリント料金を課金処理する。
【０１２３】
図２９は、出版社の課金管理システムでＰＤＬがない場合における処理の流れを示すブロック図である。矢印番号に示すように、まず、出版社の課金管理システムはネットワーク５０をかいしてＰＤＬがないことをコピー機へ知らせ、コピー機はユーザーにＰＤＬがないことを知らせる。ユーザーは得たいページをコピーする。スキャナー１０６から読み込まれた画像データを平滑フィルタ処理し、画像処理後、メインメモリ２０４のページメモリ領域２０４ｂへ格納し、１ページが蓄積された時点で、プリンタエンジン２１９へ送りプリント出力する。
【０１２４】
図３０は、出版物の無線タグシステムにＰＤＬが入っていた場合における処理の流れを示すブロック図である。矢印番号に示すように、まず、無線タグを認識し、出版社などの情報を読み込み、さらにＰＤＬを読み込み、このＰＤＬを使用し、指定されたページを指定された枚数分をプリント出力する。このとき、出版社へプリントした枚数を知らせ、課金処理を行なう。
【０１２５】
ところで、上記の無線タグとリーダライターの構成、動作は前述した図１０と同様である。図３２は、この第２の実施の形態にかかる無線タグとの交信処理を示すフローチャートである。この図において、まず、識別情報要求信号を送信し（ステップＳ３１）、さらに識別情報の応答を行なったか否かを判断する（ステップＳ３２）。ここで、当該識別情報は出版物であるか否かを判断し（ステップＳ３３）、出版物の識別情報である場合、無線タグの詳細情報を読み込み、無線タグメモリ領域２０４ｍへ書き込む（ステップＳ３４）。
【０１２６】
また、この第２の実施の形態では、前述した第１の実施の形態のようにダミーアンテナ２９を設ける（本例では、第１キャリッジ１５０に設置する）ことにより、第１の実施の形態と同様の動作を行なうことができる。
【０１２７】
なお、これまでＰＤＬ解析装置（ＣＰＵ２０１）として、ＰＤＬ（ｐａｇｅ  ｄｅｓｃｒｉｐｔｉｏｎ  ｌａｎｇｕａｇｅ）を処理する場合を説明してきたが、ＰＤＦ（Ｐｏｔａｂｌｅ  Ｄｏｃｕｍｅｎｔ  Ｆｏｒｍａｔ）の場合も同様に適用することができる。ＰＤＬは、ページプリンタにおいて、ページメージを作成するためのプリンタ制御コード（言語）。単純な文字印字のほか、図形描画などの機能を拡張している場合が多い。代表的なページ記述言語としてはＰｏｓｔＳｃｒｉｐｔ、ＨＰ−ＰＣＬ、ＬＩＰＳ、ＥＳＣ／Ｐａｇｅ、ＰＲＥＳＣＲＩＢＥなどがある。また、ＰＤＦは、特定のプラットフォームに依存せずに表示できる文書を実現するために開発されたドキュメントフォーマットであり、米国Ａｄｏｂｅ社により開発されたものである。このＰＤＦを利用すれば、各種文字修飾や段組処理など、従来は特定アプリケーションに依存しなければ扱えなかった文書を、さまざまなプラットフォームで表示できるようになる。
【０１２８】
したがって、以上説明してきた第２の実施の形態によれば、スキャナー１０６の走行体（第１キャリッジ１５０）にアンテナ２２を搭載し、画像の読み込みと同時にアンテナ２７で無線タグとの交信を行い、無線タグの種類を認識し、複写した対象物と複写毎数などを記録し、集計し、著作権を有する企業へ通知することにより、課金を可能とする課金システムを構築することができる。また、出版物の無線タグとアンテナ２７で交信を行ない、無線タグの種類と対象物と出版社を認識し、出版社の課金システムへプリントしたいページと枚数を通知し、ＰＤＬまたはＰＤＦを読み込みプリントすることにより画質のきれいな複写処理を行うことができ、かつ課金を可能とする課金システムを構築することができる。
【０１２９】
なお、原稿から直接電子情報を得る手段として、たとえばカタログ等では参照するインターネットアドレスを文字としてカタログ上に表示しているものもあるが、原稿そのものから電子情報（デジタル情報）を取得するという考え方は従来において存在していない。
【産業上の利用可能性】
【０１３０】
以上のように、本発明にかかる画像形成装置、画像形成方法および画像形成システムは、デジタル複写機、プリンタ、スキャナーなどに有用であり、特に、金券や有価証券などの偽造が禁止されている行為を防止したり、出版物などの複写出力時における課金処理を行なうシステムに適している。
【図面の簡単な説明】
【０１３１】
【図１】本発明の実施の形態にかかる画像形成装置の機構部の構成例を示す説明図である。
【図２】図１におけるアンテナと搬送ローラとの関係を示す説明図である。
【図３】図１におけるアンテナの構成例を示す説明図である。
【図４】本発明の第１の実施の形態にかかる電装・制御装置などの詳細構成を示すブロック図である。
【図５】本発明の実施の形態にかかる画像処理の流れを示すブロック図である。
【図６】本発明の第１の実施の形態にかかる画像形成装置の処理概念を示すブロック図である。
【図７】図６における通常の印刷処理の流れを示すブロック図である。
【図８】図６における偽造防止処理時の印刷処理の流れを示すブロック図である。
【図９】本発明の第１の実施の形態にかかる無線タグ情報の記録例を示す図である。
【図１０】無線タグとリーダライターの構成を示すブロック図である。
【図１１】無線タグとリーダライターとの交信動作例を示す説明図である。
【図１２】本発明の第１の実施の形態にかかる画像形成装置の無線タグとの交信処理を示すフローチャートである。
【図１３】図４における偽造防止処理装置の詳細構成を示すブロック図である。
【図１４】図４における画像処理装置の詳細構成を示すブロック図である。
【図１５】本発明の第１の実施の形態にかかるカラープリンタの他の構成を示す説明図である。
【図１６】図１５のカラープリンタの電装・制御装置などの構成を示すブロック図である。
【図１７】この第１の実施の形態の図１５の構成にかかるダミーアンテナとアンテナの無線タグとの交信動作を示すフローチャートである。
【図１８】図１５におけるダミーアンテナの構成例を示す説明図である。
【図１９】本発明の第２実施の形態にかかる画像形成装置の構成を示す説明図である。
【図２０】図１９におけるスキャナーの構成を示す説明図である。
【図２１】図１９におけるスキャナーの読取光学系の構成を示す断面図である。
【図２２】原稿に対するアンテナの配置および走査位置関係を示す説明図である。
【図２３】本発明の第２の実施の形態にかかる画像形成装置（電装・制御装置）の構成を示すブロック図である。
【図２４】本発明の第２の実施の形態にかかるシステムの機能概念を示すブロック図である。
【図２５】コピー画像を本から取得する場合における処理の流れを示すブロック図である。
【図２６】ＰＤＬデータで印刷したい場合における処理の流れを示すブロック図である。
【図２７】出版社の課金管理システムでプリント出力が可能である場合における処理の流れを示すブロック図である。
【図２８】出版社の課金管理システムでＰＤＬがある場合における処理の流れを示すブロック図である。
【図２９】出版社の課金管理システムでＰＤＬがない場合における処理の流れを示すブロック図である。
【図３０】出版物の無線タグシステムにＰＤＬが入っていた場合における処理の流れを示すブロック図である。
【図３１】この第２の実施の形態にかかる無線タグ情報の記録例を示す図である。
【図３２】この第２の実施の形態にかかる無線タグとの交信処理を示すフローチャートである。
【符号の説明】
【０１３２】
２７  アンテナ
２９  ダミーアンテナ
５０  ネットワーク
１０６  スキャナー
１５０  第１キャリッジ
２００  ＰＣ
２０１  ＣＰＵ
２０４  メインメモリ
２０４ｈ  ページヘッダー領域
２０４ｐ  追跡パターンメモリ領域
２０４ｍ  無線タグメモリ領域
２０５  描画処理装置
２１４  リーダライター
２１５  無線タグ情報判定装置
２１６  偽造防止処理装置
２１８  画像処理装置
２１９  プリンタエンジン
２２０  無線タグ
２３６  画像合成装置
【図１】
2006123505.tif 000003
【図２】
2006123505.tif 000004
【図３】
2006123505.tif 000005
【図４】
2006123505.tif 000006
【図５】
2006123505.tif 000007
【図６】
2006123505.tif 000008
【図７】
2006123505.tif 000009
【図８】
2006123505.tif 000010
【図９】
2006123505.tif 000011
【図１０】
2006123505.tif 000012
【図１１】
2006123505.tif 000013
【図１２】
2006123505.tif 000014
【図１３】
2006123505.tif 000015
【図１４】
2006123505.tif 000016
【図１５】
2006123505.tif 000017
【図１６】
2006123505.tif 000018
【図１７】
2006123505.tif 000019
【図１８】
2006123505.tif 000020
【図１９】
2006123505.tif 000021
【図２０】
2006123505.tif 000022
【図２１】
2006123505.tif 000023
【図２２】
2006123505.tif 000024
【図２３】
2006123505.tif 000025
【図２４】
2006123505.tif 000026
【図２５】
2006123505.tif 000027
【図２６】
2006123505.tif 000028
【図２７】
2006123505.tif 000029
【図２８】
2006123505.tif 000030
【図２９】
2006123505.tif 000031
【図３０】
2006123505.tif 000032
【図３１】
2006123505.tif 000033
【図３２】
2006123505.tif 000034